(57)【特許請求の範囲】
【請求項１】
ガスの湿度、その湿度検出位置、およびガスの流量に基づいて、ガス導管網上で差水の影響を受ける領域を予め推定し、この予め推定した差水影響領域において、湿度検出位置よりもガスの供給方向下流側のガス導管網上における分岐後の湿度および合流後の湿度のうちの少なくともいずれか一方を推定し、その推定値に基づいて、差水の影響を受ける領域を推定することを特徴とするガス導管網差水位置の推定方法。
【請求項２】
ガスの湿度、その湿度検出位置、およびガスの流れの向きに基づいて、ガス導管網上で水が存在する候補領域を推定し、この推定した水が存在する候補領域におけるガス導管網上で、ガスの分岐後の湿度および合流後の湿度のうちの少なくともいずれか一方の推定値に基づいて、水が存在する位置を推定することを特徴とするガス導管網差水位置の推定方法。
【請求項３】
ガス導管網上で水が存在する水存在領域、またはガスの湿度、その湿度検出位置、およびガスの流れの向きに基づいて、推定した水存在推定領域とガス導管の高低差とに基づいて、ガス導管網上の差水侵入領域を推定し、この推定した差水侵入領域と、ガスの湿度、その湿度検出位置、およびガスの流れの向きに基づいて推定された水が存在しない領域とを照合して、差水侵入位置を推定することを特徴とするガス導管差水位置の推定方法。
【請求項４】
ガス導管網上で差水が発生した位置を推定するために、コンピュータを、
少なくともガスの湿度と、その湿度検出位置と、ガスの流量とを含む入力情報を入力する入力手段、
入力手段から入力された入力情報に基づいて、ガス導管網上で差水の影響を受ける差水影響領域を推定し、この推定した差水影響領域において、湿度検出位置よりもガスの供給方向下流側のガス導管網上における分岐後および合流後のうちの少なくともいずれか一方のガスの湿度を推定することによって差水の影響を受ける領域を推定する処理手段、および
入力手段から前記入力情報を入力するための入力画像および処理手段の出力画像を表示する表示手段、
として機能させるためのガス導管網差水位置の推定プログラム。
【請求項５】
ガス導管網上で差水が発生した位置を推定するために、コンピュータを、
少なくともガスの湿度と、その湿度検出位置と、ガスの流れの向きとを含む入力情報を入力する入力手段、
入力手段から入力された入力情報に基づいて、ガス導管網上で水が存在する領域を推定し、この推定した水が存在する領域におけるガス導管網上で、ガスの分岐および合流のうちの少なくともいずれか一方によって変化した湿度推定値に基づいて、水が存在する位置を推定する処理手段、および
入力手段から前記入力情報を入力するための入力画像および処理手段の出力画像を表示する表示手段、
として機能させるためのガス導管網差水位置の推定プログラム。
【請求項６】
ガス導管網上で差水が発生した位置を推定するために、コンピュータを、
少なくとも水が存在する水存在領域、およびガス導管の位置座標を含む入力情報を入力する入力手段、
入力手段から入力された入力情報に基づいて、ガス導管網上の差水侵入領域を推定し、この推定した差水侵入領域と、ガスの湿度、その湿度検出位置、およびガスの流れの向きに基づいて推定された水が存在しない領域とを照合して、差水侵入位置を推定する処理手段、および
入力手段から前記入力情報を入力するための入力画像および処理手段の出力画像を表示する表示手段、
として機能させるためのガス導管網差水位置の推定プログラム。
【請求項７】
前記入力手段の入力情報は、表示手段に表示される入力画像上または出力画像上のガス導管の指定、指定したガス導管のガスの流れの有無の変更、および指定したガス導管のガスの流れの向きの変更を含むことを特徴とする請求項４〜６のいずれか１つに記載のガス導管網差水位置の推定プログラム。
【請求項８】
請求項４〜７のいずれか１つに記載のガス導管網差水位置の推定プログラムを記録したことを特徴とするコンピュータ読取り可能な記録媒体。
【請求項９】
差水情報の利用者から情報通信ネットワークを介する差水位置推定情報の要求によって、差水位置推定情報の提供者から前記情報通信ネットワークを介してガス導管網差水位置の推定情報を通知し、
前記利用者のコンピュータから入力されたガス導管網情報、ガス流量情報および湿度情報を、提供者のコンピュータに読込み、ガス導管網上で差水の影響を受ける差水影響領域を推定し、この推定した差水影響領域において、湿度検出位置よりもガスの供給方向下流側のガス導管網上における分岐後および合流後のうちの少なくともいずれか一方のガスの湿度を推定することにより、差水の影響を受ける領域を推定し、その差水影響領域の推定情報を、前記情報通信ネットワークを介して利用者に回答することを特徴とする情報通信ネットワークを利用したガス導管網差水位置の推定システム。
【請求項１０】
差水情報の利用者から情報通信ネットワークを介する差水位置推定情報の要求によって、差水位置推定情報の提供者から前記情報通信ネットワークを介してガス導管網差水位置の推定情報を通知し、
前記利用者のコンピュータから入力されたガス導管網情報、ガス湿度情報およびガスの流れの向き情報を、情報通信ネットワークを介して提供者のコンピュータに読込み、ガス導管網上で水が存在する領域を推定し、この推定した水が存在する領域におけるガス導管網上で、ガスの分岐および合流のうちの少なくともいずれか一方によって変化した湿度推定値に基づいて、水が存在する位置を推定し、その水存在位置の推定情報を、前記情報通信ネットワークを介して利用者に回答することを特徴とする情報通信ネットワークを利用したガス導管網差水位置の推定システム。
【請求項１１】
差水情報の利用者から情報通信ネットワークを介する差水位置推定情報の要求によって、差水位置推定情報の提供者から前記情報通信ネットワークを介してガス導管網差水位置の推定情報を通知し、
前記利用者のコンピュータから入力されたガス導管網情報、水存在領域情報を、情報通信ネットワークを介して提供者のコンピュータに読込み、ガス導管網上の差水侵入領域を推定し、この推定した差水侵入領域と、ガスの湿度、その湿度検出位置、およびガスの流れの向きに基づいて推定された水が存在しない領域とを照合して、差水侵入位置を推定し、その差水侵入位置の推定情報を、前記情報通信ネットワークを介して利用者に回答することを特徴とする情報通信ネットワークを利用したガス導管網差水位置の推定システム。
【請求項１２】
前記利用者のコンピュータから入力される入力情報は、提供者のコンピュータに接続される記憶装置に顧客情報としてデータベース化して、書き込み／読み出し可能に記憶されることを特徴とする請求項９〜１１のいずれか１つに記載の情報通信ネットワークを利用したガス導管網差水位置の推定システム。
【発明の詳細な説明】
【０００１】
【発明の属する技術分野】
本発明は、広域のガス導管網から、ガス導管内に水が流入した際の、滞留水位置を含む水が存在する位置や差水侵入位置を推定するためのガス導管網差水位置の推定方法、その推定方法を実行するためのプログラム、そのプログラムが記録された記録媒体および情報通信ネットワークを利用したガス導管網差水位置の推定システムに関する。
【０００２】
【従来の技術】
ガス導管の腐食、ガス導管同士の継手部の不良、ガス導管近傍に埋設される水道管の破裂などによって生じたサンドブラストによるガス導管の損傷などに起因して、そのガス導管に亀裂および開口などが生じると、これらの亀裂および開口などの損傷箇所を介してガス導管内に水が流入し、滞留する差水が発生する。
【０００３】
このような差水が発生すると、ガス需要家が備えるガス消費機器においては、バーナからガスが出にくくなるなどの不具合が発生し、安定したガスの供給ができなくなるおそれがあるため、ガス供給事業者は、なるべく早く差水が発生した位置を正確に察知し、ガス導管の損傷箇所の修復作業に向かわなければならない。
【０００４】
【発明が解決しようとする課題】
本発明の目的は、差水の位置を、早期にかつ正確に推定することができるガス導管網差水位置の推定方法、その推定方法を実行するためのプログラム、そのプログラムが記録された記録媒体および情報通信ネットワークを利用したガス導管網差水位置の推定システムを提供することである。
【０００５】
【課題を解決するための手段】
請求項１記載の本発明は、ガスの湿度、その湿度検出位置、およびガスの流量に基づいて、ガス導管網上で差水の影響を受ける領域を予め推定し、この予め推定した差水影響領域において、湿度検出位置よりもガスの供給方向下流側のガス導管網上における分岐後の湿度および合流後の湿度のうちの少なくともいずれか一方を推定し、その推定値に基づいて、差水の影響を受ける領域を推定することを特徴とするガス導管網差水位置の推定方法である。
【０００６】
本発明に従えば、予めガス導管網上で差水の影響を受けると考えられる差水影響領域が、ガスの湿度と、その湿度検出位置と、ガス流量とに基づいて推定される。これは、湿度が高い場所よりもガスの供給方向下流側では、同様にガスの湿度が高いと考えられるためである。こうして予め推定される差水影響領域に対して、ガス導管が分岐しても、その分岐後の湿度は、上流側の湿度と比べて変化せず、また複数のガス導管が合流しても、その合流後の湿度は、合流前の上流側の各ガス導管の流量にほぼ比例して希釈されるため、各湿度検出位置の湿度の高さおよび流量の大きさ、合流後であるか、分岐後であるか、またはそれらの両者であるかを考慮し、各ガス導管内のガスの湿度から差水影響領域を、早期にかつ正確に推定することができる。
【０００７】
請求項２記載の本発明は、ガスの湿度、その湿度検出位置、およびガスの流れの向きに基づいて、ガス導管網上で水が存在する候補領域を推定し、この推定した水が存在する候補領域におけるガス導管網上で、ガスの分岐後の湿度および合流後の湿度のうちの少なくともいずれか一方の推定値に基づいて、水が存在する位置を推定することを特徴とするガス導管網差水位置の推定方法である。
【０００８】
本発明に従えば、ガス導管網上において水が存在する位置を推定するにあたって、各湿度検出位置における湿度とガスの流れの向きとによって、ガス供給方向に向かってガスの湿度が上昇した領域内に水が存在すると推定される。これは、湿度検出位置よりも上流側に水が存在し、湿度を検出しなかった位置よりも上流側には水が存在しないと考えられるためである。湿度検出位置よりも下流側では湿度があって当然であること、分岐後の湿度の変化はないこと、合流後の湿度は合流前の上流側の各導管での湿度と流量により変化することを考慮することによって、水の存在する位置を早期にかつ正確に求めることができる。
【０００９】
請求項３記載の本発明は、ガス導管網上で水が存在する水存在領域、またはガスの湿度、その湿度検出位置、およびガスの流れの向きに基づいて、推定した水存在推定領域とガス導管の高低差とに基づいて、ガス導管網上の差水侵入領域を推定し、この推定した差水侵入領域と、ガスの湿度、その湿度検出位置、およびガスの流れの向きに基づいて推定された水が存在しない領域とを照合して、差水侵入位置を推定することを特徴とするガス導管差水位置の推定方法である。
【００１０】
本発明に従えば、実際の水存在領域もしくはガス導管網上でガスの湿度とその湿度検出位置とガスの流れの向きとによって、水が存在する領域を推定した水存在推定領域に対してガス導管の高低差を考慮することよって、ガス導管のより高い位置から水が流れ込むという想定をもとに、差水侵入領域が推定される。このような高低差を考慮した差水侵入領域に対して、前記湿度、湿度検出位置およびガスの流れの向きから求めた水の存在しない領域を照合することによって、前記差水侵入領域から、水の存在しない領域を除いた領域が、差水が侵入した位置としての可能性が最も高く、差水侵入位置として推定することができる。
【００１１】
請求項４記載の本発明は、ガス導管網上で差水が発生した位置を推定するために、コンピュータを、
少なくともガスの湿度と、その湿度検出位置と、ガスの流量とを含む入力情報を入力する入力手段、
入力手段から入力された入力情報に基づいて、ガス導管網上で差水の影響を受ける差水影響領域を推定し、この推定した差水影響領域において、湿度検出位置よりもガスの供給方向下流側のガス導管網上における分岐後および合流後のうちの少なくともいずれか一方のガスの湿度を推定することによって差水の影響を受ける領域を推定する処理手段、および
入力手段から前記入力情報を入力するための入力画像および処理手段の出力画像を表示する表示手段、
として機能させるためのガス導管網差水位置の推定プログラムである。
【００１２】
本発明に従えば、ガス導管網差水位置の推定プログラムをコンピュータによって実行することによって、入力手段によって入力された、少なくともガスの湿度と、その湿度検出位置と、ガスの流量とに基づいて、処理手段は差水の影響を受ける領域を求め、表示手段に画像で表示させ、差水の影響を受ける領域を、早期にかつ正確に推定することができる。
【００１３】
請求項５記載の本発明は、ガス導管網上で差水が発生した位置を推定するために、コンピュータを、
少なくともガスの湿度と、その湿度検出位置と、ガスの流れの向きとを含む入力情報を入力する入力手段、
入力手段から入力された入力情報に基づいて、ガス導管網上で水が存在する領域を推定し、この推定した水が存在する領域におけるガス導管網上で、ガスの分岐および合流のうちの少なくともいずれか一方によって変化した湿度推定値に基づいて、水が存在する位置を推定する処理手段、および
入力手段から前記入力情報を入力するための入力画像および処理手段の出力画像を表示する表示手段、
として機能させるためのガス導管網差水位置の推定プログラムである。
【００１４】
本発明に従えば、ガス導管網差水位置の推定プログラムをコンピュータによって実行することによって、入力手段によって入力された、少なくともガスの湿度と、その湿度検出位置と、ガスの流れの向きとに基づいて、処理手段は水が存在する領域を求め、この水が存在する領域における分岐および合流のいずれか一方または双方によって変化した湿度推定値に基づいて、水が存在する位置を求め、それを表示手段に画像で表示させ、水が存在する位置を、早期にかつ正確に推定することができる。
【００１５】
請求項６記載の本発明は、ガス導管網上で差水が発生した位置を推定するために、コンピュータを、
少なくとも水が存在する水存在領域、およびガス導管の位置座標を含む入力情報を入力する入力手段、
入力手段から入力された入力情報に基づいて、ガス導管網上の差水侵入領域を推定し、この推定した差水侵入領域と、ガスの湿度、その湿度検出位置、およびガスの流れの向きに基づいて推定された水が存在しない領域とを照合して、差水侵入位置を推定する処理手段、および
入力手段から前記入力情報を入力するための入力画像および処理手段の出力画像を表示する表示手段、
として機能させるためのガス導管網差水位置の推定プログラムである。
【００１６】
本発明に従えば、ガス導管網差水位置の推定プログラムをコンピュータによって実行することによって、入力手段によって入力された、少なくとも水存在領域とガス導管の位置座標とに基づいて、処理手段は差水侵入領域を求め、この差水侵入領域と水の存在しない領域とを照合して、差水が侵入した位置を求め、それを表示手段に画像で表示させ、差水侵入位置を、早期にかつ正確に推定することができる。
【００１７】
請求項７記載の本発明は、前記入力手段の入力情報は、表示手段に表示される入力画像上または出力画像上のガス導管の指定、指定したガス導管のガスの流れの有無の変更、および指定したガス導管のガスの流れの向きの変更を含むことを特徴とする。
【００１８】
本発明に従えば、入力手段は、表示手段に入力画像または出力画像として表示されるガス導管網中の各ガス導管を指定し、指定したガス導管のガスの流れの有無を変更し、さらにガスの流れの向きを変更することができるので、ガス導管の閉鎖などのガス供給条件の変化に応じて、入力情報を修正して更新し、より新たな、または正確な入力情報を用いて差水位置を推定することができる。
【００１９】
請求項８記載の本発明は、請求項４〜７のいずれか１つに記載のガス導管網差水位置の推定プログラムを記録したことを特徴とするコンピュータ読取り可能な記録媒体である。
【００２０】
本発明に従えば、前記ガス導管網差水位置の推定プログラムがコンピュータによって読取り可能な記録媒体に記録されることによって、広範囲のガス供給事業者、ガス工事業者および管理センタなどが前記記録媒体に記録されるプログラムを用いて、早期にかつ正確に差水位置を推定することができる。
【００２１】
請求項９記載の本発明は、差水情報の利用者から情報通信ネットワークを介する差水位置推定情報の要求によって、差水位置推定情報の提供者から前記情報通信ネットワークを介してガス導管網差水位置の推定情報を通知し、
前記利用者のコンピュータから入力されたガス導管網情報、ガス流量情報および湿度情報を、提供者のコンピュータに読込み、ガス導管網上で差水の影響を受ける差水影響領域を推定し、この推定した差水影響領域において、湿度検出位置よりもガスの供給方向下流側のガス導管網上における分岐後および合流後のうちの少なくともいずれか一方のガスの湿度を推定することにより、差水の影響を受ける領域を推定し、その差水影響領域の推定情報を、前記情報通信ネットワークを介して利用者に回答することを特徴とする情報通信ネットワークを利用したガス導管網差水位置の推定システムである。
【００２２】
本発明に従えば、各地のガス供給事業者、ガス工事業者および管理センタなどの利用者からの差水情報の要求に対して、提供者から前記情報通信ネットワークを介してガス導管網差水位置の推定情報を通知することができるので、差水情報を場所および時間に拘わらず、迅速に提供することができ、緊急を要するガス導管の損傷などに起因する差水事故に、早期に対処することが可能となる。
【００２４】
また利用者のコンピュータから入力されたガス導管網情報、ガス流量情報および湿度情報に基づいて、提供者のコンピュータは、ガス導管網上で差水の影響を受けると考えられる差水影響領域を、ガスの湿度と、その湿度検出位置と、ガス流量とに基づいて推定する。これは、湿度が高い場所よりもガスの供給方向下流側では同様にガスの湿度が高いと考えられるためである。
【００２５】
こうして推定される差水影響領域に対して、ガス導管が分岐しても、その分岐後の湿度は、上流側の湿度と比べて変化せず、また複数のガス導管が合流しても、その合流後の湿度は、合流前の上流側の各ガス導管の流量にほぼ比例して希釈されるため、このようにして前記差水影響領域における各湿度検出位置の湿度の高さおよび流量の大きさ、合流後であるか、分岐後であるか、またはそれらの両者であるかを考慮して、差水影響領域における各ガス導管内のガスの湿度を、早期にかつ正確に推定することができる。
【００２６】
これによって差水情報を場所および時間に拘わらず、利用者が提供した上記の各情報に対して迅速に差水情報を提供することができ、利用者側で発生した緊急を要するガス導管の損傷などに起因する差水事故に、早期に対処することが可能となる。
【００２７】
請求項１０記載の本発明は、差水情報の利用者から情報通信ネットワークを介する差水位置推定情報の要求によって、差水位置推定情報の提供者から前記情報通信ネットワークを介してガス導管網差水位置の推定情報を通知し、
前記利用者のコンピュータから入力されたガス導管網情報、ガス湿度情報およびガスの流れの向き情報を、情報通信ネットワークを介して提供者のコンピュータに読込み、ガス導管網上で水が存在する領域を推定し、この推定した水が存在する領域におけるガス導管網上で、ガスの分岐および合流のうちの少なくともいずれか一方によって変化した湿度推定値に基づいて、水が存在する位置を推定し、その水存在位置の推定情報を、前記情報通信ネットワークを介して利用者に回答することを特徴とする情報通信ネットワークを利用したガス導管網差水位置の推定システムである。
【００２８】
本発明に従えば、各地のガス供給事業者、ガス工事業者および管理センタなどの利用者からの差水情報の要求に対して、提供者から前記情報通信ネットワークを介してガス導管網差水位置の推定情報を通知することができるので、差水情報を場所および時間に拘わらず、迅速に提供することができ、緊急を要するガス導管の損傷などに起因する差水事故に、早期に対処することが可能となる。また利用者のコンピュータから入力されたガス導管網情報、ガス湿度情報およびガスの流れの向き情報に基づいて、提供者のコンピュータは、ガス導管網上において水の存在する位置を推定するにあたって、各湿度検出位置における湿度とガスの流れの向きとによって、湿度検出位置よりも下流側では湿度があって当然であること、分岐後の湿度の変化はないこと、合流後の湿度は合流前の上流側での湿度と流量により変化することを考慮することによって、水の存在する位置を早期にかつ正確に求めることができる。
【００２９】
これによって差水情報を場所および時間に拘わらず、利用者が提供した上記の各情報に対して迅速に差水情報を提供することができ、利用者側で発生した緊急を要するガス導管の損傷などに起因する差水事故に、早期に対処することが可能となる。
【００３０】
請求項１１記載の本発明は、差水情報の利用者から情報通信ネットワークを介する差水位置推定情報の要求によって、差水位置推定情報の提供者から前記情報通信ネットワークを介してガス導管網差水位置の推定情報を通知し、
前記利用者のコンピュータから入力されたガス導管網情報、水存在領域情報を、情報通信ネットワークを介して提供者のコンピュータに読込み、ガス導管網上の差水侵入領域を推定し、この推定した差水侵入領域と、ガスの湿度、その湿度検出位置、およびガスの流れの向きに基づいて推定された水が存在しない領域とを照合して、差水侵入位置を推定し、その差水侵入位置の推定情報を、前記情報通信ネットワークを介して利用者に回答することを特徴とする情報通信ネットワークを利用したガス導管網差水位置の推定システムである。
【００３１】
本発明に従えば、各地のガス供給事業者、ガス工事業者および管理センタなどの利用者からの差水情報の要求に対して、提供者から前記情報通信ネットワークを介してガス導管網差水位置の推定情報を通知することができるので、差水情報を場所および時間に拘わらず、迅速に提供することができ、緊急を要するガス導管の損傷などに起因する差水事故に、早期に対処することが可能となる。また利用者のコンピュータから入力されたガス導管網情報、水存在領域情報に基づいて、提供者のコンピュータは、実際の水存在領域またはガス導管網上でガスの湿度とその湿度検出位置とガスの流れの向きとによって、水が存在する領域を推定した水存在推定領域に対してガス導管の高低差を考慮することよって、ガス導管のより高い位置から水が流れ込むという想定をもとに、差水侵入領域が推定される。このような高低差を考慮した差水侵入領域に対して、前記湿度、湿度検出位置およびガスの流れの向きから求めた水の存在しない領域を照合することによって、前記差水侵入領域から水の存在しない領域を除いた領域が、差水が侵入した位置としての可能性が最も高く、差水侵入位置として推定することができる。
【００３２】
これによって差水位置情報を場所および時間に拘わらず、利用者が提供した上記の各情報に対して迅速に差水位置情報を提供することができ、利用者側で発生した緊急を要するガス導管の損傷などに起因する差水事故に、早期に対処することが可能となる。
【００３３】
請求項１２記載の本発明は、前記利用者のコンピュータから入力される入力情報は、提供者のコンピュータに接続される記憶装置に顧客情報としてデータベース化して、書き込み／読み出し可能に記憶されることを特徴とする。
【００３４】
本発明に従えば、利用者のコンピュータから入力されたガス導管網情報、ガス流量情報、湿度情報およびガスの流れの向き情報などを含む入力情報は、提供者のコンピュータに接続される記憶装置に顧客情報としてデータベース化して、書き込み／読み出し可能に記憶されるので、利用者側から入力しなければならない入力情報の情報量を低減することができ、利用者にとって、より容易にかつ簡便に差水情報を提供者から入手することができる。
【００３５】
また、上記のように利用者のコンピュータから入力されたガス導管網情報、ガス流量情報および湿度情報が提供者側の記憶装置に記憶されるので、利用者は多くのデータを記憶しておくための記憶装置または記憶領域を確保する必要がなくなるとともに、前記データの管理業務も削減され、利用者の情報管理に要する負担を軽減することができる。
【００３６】
【発明の実施の形態】
図１は、本発明の実施の一形態のガス導管網差水位置の推定システム１を模式的に示す図である。本実施の形態のガス導管網差水位置の推定システム１は、ハードウェア資源として、差水位置情報の提供者であるガス供給事業者の管理センタなどに設置されるサーバコンピュータＣ１と、このサーバコンピュータＣ１に公衆回線通信網２を介して接続され、差水位置情報の利用者であるたとえば他のガス供給事業者およびガス工事会社などに設置される複数のクライアントコンピュータＣ２とを含む。
【００３７】
これらのサーバコンピュータＣ１とクライアントコンピュータＣ２とは、公衆回線通信網２を介して情報通信ネットワークを構築し、インターネットによって相互に通信可能である。サーバコンピュータＣ１は、クライアントコンピュータＣ２から送信されたガス導管の管径などの導管情報、ガス導管の流れるガスの流量情報およびガス導管を流れるガスの湿度情報などを受信することによって、受信した情報に対応する差水位置推定結果の回答を送信して、差水発生位置の推定情報を提供することができるように構成されている。
【００３８】
図２は、サーバコンピュータＣ１の概略的構成を示すブロック図である。前記サーバコンピュータＣ１は、ＣＰＵ（Central Processing Unit)などを含んで実現され、フロッピディスクおよびＣＤ−ＲＯＭなどの記録媒体に記録された差水位置推定プログラム９を読取って実行する処理手段３と、処理手段３にデータを入力する入力手段４と、処理手段３の出力を画像で表示する画像表示手段５と、処理手段３の出力を印字する印字手段６と、データベース化された導管網データを読出しおよび書込み可能に記憶する記憶手段７と、公衆回線通信網２を介してクライアントコンピュータＣ２と通信するための通信手段８とを有する。
【００３９】
図３は、サーバコンピュータＣ１の画像表示手段５に表示される導管図シミュレーション画面１１を示す図である。前記サーバコンピュータＣ１において、処理手段３は、差水位置推定プログラムを実行し、記憶手段７に記憶される導管網データの中から所定地域の導管図データを読込んだときの導管図シミュレーション画面１１を、画像表示手段５に表示させる。
【００４０】
この導管図シミュレーション画面１１は、その左側上部に４つのシミュレーション機能を選択するためのシミュレーション選択ボックス１２を有し、このシミュレーション機能選択ボックス１２の下には、各ガス導管の湿度などの情報を入力するためのガス導管情報入力部１３と、前記ガス導管網全体が直交ＸＹ座標でメッシュ状に複数の領域に区画されて、図３に示されるように「３０６３７１」，「３０６３７２」，…などのメッシュ番号が付されており、導管網データの中から読込まれた所定地域のメッシュ番号を表示するためのメッシュ番号表示部１４とが設けられる。
【００４１】
またこの導管図シミュレーション画面１１において、前記ガス導管情報入力部１３の下方には、ユーザ設定情報を設定するか否かを選択するためのユーザ設定情報チェック欄１５が設けられる。このユーザ情報設定チェック欄１５を入力手段であるマウス１６によってチェックして設定情報ありを選択すると、その下にはユーザ設定情報選択ボックス１７が表示される。このユーザ設定情報選択ボックス１７には、ユーザ設定情報として、各ガス導管のガスの流れの向きを反転するための「反転」表示部１８ａと、管径ごとの導管の表示色を設定変更するための「色設定」表示部１８ｂと、ガス導管が使われていないことを設定するための「不使用」表示部１８ｃとが設けられる。
【００４２】
さらに導管図シミュレーション画面１１には、上記のシミュレーション選択ボックス１２、ガス導管情報入力部１３、メッシュ番号表示部１４、ユーザ情報設定チェック欄１５およびユーザ設定情報選択ボックス１７の図３のおける右側に、ガス導管網１９がカラー表示される導管網表示部２０が設けられる。この導管網表示部２０は、拡大タグ２１ａ、縮小タグ２１ｂ、全面表示タグ２１ｃおよび流量表示タグ２１ｄのいずれか１つをマウス１６のクリック操作によって選択することによって、拡大表示され、縮小表示され、全面表示され、流量表示されて、各表示状態を選択的に切換えることができるように構成される。
【００４３】
前記導管網表示部２０の右側部には、上下スクロールバー２３が設けられ、導管網表示部の下部には左右スクロールバー２４が設けられる。上下スクロールバー２３をカーソル１６で上下に移動させることよって、導管網表示部２０の表示領域内に表示される表示内容は上下に移動され、表示領域内に表示されている導管網が敷設されている地域よりも上方であるたとえば北側の地域の導管網をスクロール表示させ、または下方であるたとえば南側の地域の導管網をスクロール表示させることができる。
【００４４】
また前記左右スクロールバー２４をカーソル１６で左右に移動させることよって、導管網表示部２０の表示領域内に表示される表示内容は左右に移動され、表示領域内に表示されている導管網が敷設されている地域よりも右方であるたとえば東側の地域の導管網をスクロール表示させ、または左方であるたとえば南側の地域の導管網をスクロール表示させることができる。このようにして導管網表示部２０の表示領域には、希望する地域の導管網を表示させることができる。
【００４５】
次に、前記サーバコンピュータＣ１によって差水位置推定プログラムを実行して、差水位置を推定する手順について説明する。
【００４６】
図４は、図１に示されるガス導管網差水位置の推定システム１を用いて湿度の拡がりに基づいて差水影響領域を推定する手順を説明するための一部のガス導管網３０を示す系統図であり、図５はガス導管網３０のガス導管網差水影響領域を湿度の拡がりに基づいて推定する手順を説明するためのフローチャートであり、図６は導管図シミュレーション画面１１においてシミュレーション選択ボックス１２の「湿度の拡がり  影響範囲を推定」欄を選択し、湿度情報を入力した上で計算実行したときの表示画面を示す図である。
【００４７】
このガス導管網３０は、複数のガス導管Ｌ１〜Ｌ８を有し、上流側の２本のガス導管Ｌ１，Ｌ４は節点Ｊ１，Ｊ３を介して各ガス導管Ｌ２，Ｌ５にそれぞれ接続され、各ガス導管Ｌ２，Ｌ５は節点Ｊ２において合流し、下流側のガス導管Ｌ７から節点Ｊ４を経て、ガス導管Ｌ８に連なる。また前記上流側の各ガス導管Ｌ１，Ｌ４のうちの一方のガス導管Ｌ４は、その下流側の節点Ｊ３で前記ガス導管Ｌ５とガス導管Ｌ６とに分岐して連なる。このようなガス導管網３０のデータは、前記記憶手段７にデータベースとして記憶されている。
【００４８】
ステップａ１では、図６に示されるように、シミュレーション選択ボックス１２で「湿度の拡がり  影響範囲を推定」欄をクリックして選択し、ガス導管表示部２０には前記ガス導管網３０を含む地域のガス導管網が表示される。この状態で、ガス導管Ｌ４をマウス１６でクリックして選択し、選択した基準ガス導管Ｌ４からガスの流れ方向下流側の基準節点Ｊ３を取得する。
【００４９】
ステップａ２では、ステップａ１で取得した基準節点Ｊ３に接続されている次ガス導管Ｌ５と、そのガス導管Ｌ５に関して前記基準節点Ｊ３とは反対側の次節点Ｊ２を取得する。
【００５０】
ステップａ３では、ステップａ２で取得した次節点Ｊ２に他に流入するガス導管がないかどうかをチェックし、他流入ガス導管があれば、一時保存リストに次節点Ｊ２を保存しておく。
【００５１】
ステップａ４では、次節点Ｊ７に接続されるガス導管Ｌ３を基準ガス導管として、上記ステップａ２〜ステップａ３を次ガス導管が取得できなくなるまで繰り返し、ステップａ５で、前記一時保存リストから保存されている節点Ｊ２を取得して、ステップａ６で、節点Ｊ２に接続されている他流入ガス導管の流量を合計する。
【００５２】
ステップａ７では、節点Ｊ２における合流後の湿度値Ｈｎを求める。この合流後の湿度値Ｈｎは、上流側の一方のガス導管Ｌ２の流量がＱ２ｍ3／ｈ、湿度がＨ２％、他方のガス導管Ｌ５の流量がＱ５ｍ3／ｈ、湿度Ｈが５％であるとき、合流後の湿度値Ｈｎは、
Ｈｎ＝｛（Ｑ２×Ｈ２）＋（Ｑ５×Ｈ５）｝／（Ｑ２＋Ｑ５）  …（１）
になるように、合流前のガス導管毎のガス流量Ｑ(1〜i)と湿度Ｈ(1〜i)との積を各流量Ｑ(1〜i)の和ΣＱ(1〜i)で割った値として求めることができる。一例として述べると、合流後ガス導管Ｌ７の湿度値Ｈｎは、上記の（１）式によって、Ｈｎ＝｛（１６×０）＋（４×４０）｝／（１６＋４）＝８％である。
【００５３】
ステップａ８では、取得した節点Ｊ２に接続されているガス導管Ｌ７と、そのガス導管の反対側の節点Ｊ４とを取得する。
【００５４】
ステップａ９では、ステップａ８で取得したガス導管Ｌ７および節点Ｊ４を基準として、上記ステップａ２〜ステップａ４を次ガス導管が取得できなくなるまで繰り返し、ステップａ１０では、上記のステップａ５〜ステップａ９を一時保存リストの節点がなくなるまで繰り返す。
【００５５】
このようにして所定のガス導管網３０内に存在する湿度検出位置ＨＰでのガスの湿度、その湿度検出位置、および各ガス導管Ｌ１〜Ｌ８毎のガスの流量に基づいて、ガス導管網３０上で、湿度検出位置よりもガスの供給方向下流側のガス導管網上における各ガス導管でのガスの湿度を推定することができる。
【００５６】
図７は、図１に示されるガス導管網差水位置の推定システム１を用いて水のある位置を推定する手順を説明するための一部のガス導管網３０を示す系統図であり、図８はガス導管網３０の水ある位置をガスの流れの向きと湿度Ｈとに基づいて推定する手順を説明するためのフローチャートである。
【００５７】
本実施の形態では、湿度のしきい値Ｈ０以上を「湿度あり」と判断し、このしきい値Ｈ０未満の湿度のガス導管よりも上流側は「湿度なし（水なし）」と判断し、しきい値Ｈ０以上の湿度のガス導管よりも下流側は当然湿度があるものと判断し、「湿度なし」から「湿度あり」の変化点の領域は「水あり」と判断する。これらの判断は、差水位置推定プログラムを実行する前記サーバコンピュータＣ１の処理手段３によって行なわれる。すなわち、サーバコンピュータＣ１は次の各ステップｂ１〜ｂ８をこの順序に実行する。
【００５８】
ステップｂ１では、画面上でマウス１６をクリックして指定したガス導管Ｌ２を基準ガス導管とし、この基準ガス導管Ｌ２からガス流の下流側の節点Ｊ２を基準節点として取得する。
【００５９】
ステップｂ２では、入力手段４によって入力した湿度Ｈがしきい値Ｈ０（本実施の形態では１０％）以上か未満かのチェックを行う。
【００６０】
ステップｂ３では、前記湿度Ｈがしきい値Ｈ０よりも大きければ、基準節点Ｊ２に接続されているガス導管Ｌ７と、そのガス導管Ｌ７の基準節点Ｊ２に関して反対側の節点Ｊ４とを取得し、「湿度ありフラグ」を設定するとともに、取得したガス導管Ｌ７および節点Ｊ４を「湿度あり保存リスト」に一時保存する。また、基準節点Ｊ２と反対側の節点Ｊ１を取得し、「水のある候補フラグ」を設定するとともに、取得した節点Ｊ１と基準ガス導管Ｌ２とを「水のある候補保存リスト」に一時保存する。
【００６１】
ステップｂ４では、湿度Ｈがしきい値Ｈ０よりも小さければ、基準節点Ｊ２に関して反対側の節点Ｊ１を取得し、「水なしフラグ」を設定するとともに、取得した節点Ｊ１と基準ガス導管Ｌ２とを「水なし保存リスト」に一時保存する。
【００６２】
ステップｂ５では、「湿度あり」の確定を行なう。すなわち、ステップｂ５１で、前記「湿度あり保存リスト」から節点とガス導管とを取得し、ステップｂ５２で、取得した節点の下流側に接続されているガス導管および節点を取得する。次にステップｂ５３で、取得したガス導管と節点とに「湿度ありフラグ」を設定し、「湿度あり保存リスト」に保存する。ステップｂ５４で、ガス導管を取得できなくなるまで上記ステップｂ５２〜ステップｂ５３を繰り返し、ステップｂ５５で、「湿度あり保存リスト」があれば、上記ステップｂ５１〜ステップｂ５４を繰り返す。こうして「湿度あり」を確定すると、次のステップｂ６を実行する。
【００６３】
ステップｂ６では、「水のある候補」の確定を行なう。すなわち、ステップｂ６１で、前記「水のある候補保存リスト」から節点とガス導管とを取得し、ステップｂ６２で、取得した節点の上流側に接続されているガス導管および節点を取得する。次にステップｂ６３で、取得したガス導管および節点に「水のある候補フラグ」を設定し、「水のある候補保存リスト」に保存する。ステップｂ６４で、ガス導管を取得できなくなるまで上記ステップｂ６２〜ステップｂ６３を繰り返し、ステップｂ６５で、「水のある候補保存リスト」があれば、上記ステップｂ６１〜ステップｂ６４を繰り返す。こうして「水のある候補」を確定すると、次のステップｂ７を実行する。
【００６４】
ステップｂ７では、「水なし」の確定を行なう。すなわち、ステップｂ７１で、前記「水なし保存リスト」から節点とガス導管とを取得し、ステップｂ７２で、取得した節点の上流側に接続されているガス導管および節点を取得する。次にステップｂ７３で、取得したガス導管および節点に対して「水なしフラグ」を設定して「水なし保存リスト」に保存し、ステップｂ７４で、ガス導管を取得できなくなるまで上記ステップｂ７２〜ステップｂ７３を繰り返し、ステップｂ７５で、「水なし保存リスト」があれば、上記ステップｂ７１〜ステップｂ７４を繰り返す。こうして「水なし」を確定すると、次のステップｂ８を実行する。
【００６５】
ステップｂ８では、設定した湿度検出位置の数だけ上記ステップｂ１〜ステップｂ７を繰り返す。
【００６６】
以上のようにしてガスの湿度、その湿度検出位置、およびガスの流れの向きに基づいて、ガス導管網上で水が存在する領域を推定し、この推定した水が存在する領域における「水のある候補フラグ」の設定された回数による重みづけに基づいて、水のある最有力候補を特定し、位置Ｗ２として推定する。
【００６７】
図９は、図１に示されるガス導管網差水位置の推定システム１を用いて合流点から下流側の合流後の湿度推定値に基づいて未判定領域を推定する手順を説明するための一部のガス導管網３０を示す系統図であり、図１０はガス導管網差水位置の推定システム１を用いて合流点から上流側の合流前の湿度推定値に基づいて未判定領域を推定する手順を説明するための一部のガス導管網３０を示す系統図であり、図１１はガス導管網３０の合流点よりも下流側および上流側について推定する手順を説明するためのフローチャートである。
【００６８】
まずは、図９に示す合流点より下流側への順計算手順について説明する。
ステップｃ１では、選択したガス導管網３０上でしきい値Ｈ０以上の湿度検出位置ＨＰ１を取得する。
【００６９】
ステップｃ２では、ステップｃ１で取得した各湿度検出位置ＨＰ１を有するガス導管Ｌ４を基準導管とし、そのガス導管の下流側の節点Ｊ３を基準節点として取得する。
【００７０】
ステップｃ３では、基準節点Ｊ３に接続されている次ガス導管Ｌ５と、その次ガス導管の基準節点に関して反対側の次節点Ｊ２を取得する。
【００７１】
ステップｃ４では、次節点Ｊ２に他流入ガス導管がないかどうかをチェックし、他流入ガス導管があれば、「一時保存リスト」に次節点を保存しておく。
【００７２】
ステップｃ５では、次節点Ｊ７に接続されるガス導管Ｌ３を基準ガス導管として、上記ステップｃ２〜ステップｃ４を繰り返す。
【００７３】
ステップｃ６では、「一時保存リスト」から節点Ｊ２を取得する。
ステップｃ７では、節点Ｊ２に接続されている他流入ガス導管の流量を合計する。
【００７４】
ステップｃ８では、節点Ｊ２における合流による湿度値Ｈｎを計算する。ステップ８１で、計算によって求めた湿度値Ｈｎがしきい値Ｈ０以上の場合、「水ありフラグ」をガス導管Ｌ７に設定し、ステップｃ８２で、湿度値Ｈｎがしきい値Ｈ０以下の場合、「未判定フラグ」をガス導管Ｌ７に設定する。
【００７５】
ステップｃ９では、取得した節点Ｊ２に接続されているガス導管Ｌ７と、そのガス導管の基準節点に関して反対側の節点Ｊ４を取得する。
【００７６】
ステップｃ１０では、取得したガス導管Ｌ７および節点Ｊ４を基準として、上記ステップｃ３〜ステップｃ５を次ガス導管が取得できなくなるまで繰り返す。
【００７７】
ステップｃ１１では、上記ステップｃ６〜ステップｃ１０を「一時保存リスト」に保存されている節点がなくなるまで繰り返す。
【００７８】
ステップｃ１２では、上記ステップｃ１〜ステップｃ１１をしきい値Ｈ０以上の全ての湿度検出位置に対して繰り返す。
【００７９】
次に、図１０に示す合流点より上流側への逆計算手順について説明する。
ステップｃ１３では、しきい値Ｈ０以下の湿度検出位置ＨＰ２を取得する。
【００８０】
ステップｃ１４では、湿度検出位置ＨＰ２を設定しているガス導管Ｌ８を基準ガス導管とし、基準ガス導管Ｌ８からガス流の上流側の節点を基準節点Ｊ４として取得する。
【００８１】
ステップｃ１５では、基準節点に他流入ガス導管がないかどうかをチェックする。
【００８２】
ステップｃ１６では、他流入ガス導管があれば、合流逆計算を行う。この合流前の湿度値Ｈ２は、上流側のもう一方の湿度値Ｈ５を０％と仮定して、ガス導管Ｌ２の流量Ｑ２、ガス導管Ｌ５の流量Ｑ５、ガス導管Ｌ７の湿度値Ｈ７より、
Ｈ２＝｛（Ｑ２＋Ｑ５）／Ｑ２｝×Ｈ７
と逆算することができる。同様に、合流前の湿度値Ｈ５は、
Ｈ５＝｛（Ｑ２＋Ｑ５）／Ｑ５｝×Ｈ７
と逆算できる。ステップｃ１６１で、合流判定の結果、しきい値Ｈ０以上であれば、「未判定フラグ」をそのガス導管に設定し、ステップｃ１６２で、合流判定の結果、しきい値Ｈ０以下であれば、「水なしフラグ」をそのガス導管に設定する。
【００８３】
ステップｃ１７では、取得した節点Ｊ４の上流側に接続されているガス導管Ｌ７と、そのガス導管の基準節点とは反対側の節点Ｊ２を取得する。
【００８４】
ステップｃ１８では、取得したガス導管Ｌ７および節点Ｊ２を基準として、上記ステップｃ１５〜ステップｃ１７を次ガス導管が取得できなくなるまで繰り返す。
【００８５】
ステップｃ１９では、上記ステップｃ１３〜ステップｃ１８をしきい値Ｈ０以下の全ての湿度検出位置に対して繰り返す。
【００８６】
図１２は、図１に示されるガス導管網差水位置の推定システム１を用いてガス導管の傾斜に基づいて差水侵入位置を推定する手順を説明するための一部のガス導管網３０を示す系統図であり、図１３はガス導管網３０のガス導管網差水位置をガス導管の傾斜に基づいて推定する手順を説明するためのフローチャートである。
【００８７】
ステップｄ１では、「水あり」と指定したガス導管Ｌ４を基準ガス導管とし、この基準ガス導管から両側の２節点Ｊ３，Ｊ６を取得する。
【００８８】
ステップｄ２では２節点の標高を取得し、比較する。ステップｄ３では、標高差がなければ終了し、標高差があれば次へ進む。ステップｄ４では、基準ガス導管Ｌ４の標高の低い側の節点Ｊ３を基準節点として取得する。
【００８９】
ステップｄ５では、基準節点Ｊ３に、「水が流れ込むエリアフラグ」を設定し、「水が流れ込むエリア保存リスト」に一時保存する。また、基準節点とは反対側の節点Ｊ６を取得し、「差水侵入位置の候補フラグ」を設定する。取得した節点は、「差水侵入位置の候補保存リスト」に一時保存する。
【００９０】
ステップｄ６では、「水が流れ込むエリア」の確定を行う。ステップｄ６１で、「水が流れ込むエリア保存リスト」から節点Ｊ３を取得し、ステップｄ６２で、取得した節点Ｊ３に接続されている標高の低いガス導管Ｌ５および節点Ｊ２を取得する。ステップｄ６３で、前記取得したガス導管および節点に「水が流れ込むエリアフラグ」を設定し、「水が流れ込むエリア保存リスト」に保存する。
【００９１】
ステップｄ６４で上記のステップｄ６２〜ステップｄ６３をガス導管を取得できなくなるまで繰り返した後、ステップｄ６５で、「水が流れ込むエリア保存リスト」に保存されているガス導管または節点があれば、上記ステップｄ６１〜ｄ６４を繰り返す。
【００９２】
ステップｄ７では、差水侵入位置候補の確定を行う。ステップｄ７１で、「差水侵入位置の候補保存リスト」から節点Ｊ６を取得し、ステップｄ７２で、取得した節点Ｊ６に接続されている標高の高いガス導管Ｌ１０および節点Ｊ８を取得する。ステップｄ７３で、取得したガス導管および節点に「差水侵入位置の候補フラグ」を設定し、「差水侵入位置の候補保存リスト」に保存する。ステップｄ７４で、ガス導管を取得できなくなるまで上記ステップｄ７２〜ステップｄ７３を繰り返し、ステップｄ７５で「差水侵入位置の候補保存リスト」があれば、上記ステップｄ７１〜ステップｄ７４を繰り返す。
【００９３】
ステップｄ８では、「水あり」と指定したガス導管の数だけ上記ステップｄ１〜ステップｄ７を繰り返し、ガス導管網３０内で、水のある位置Ｗ４よりも低い場所に水が広がる可能性があること、および水のある位置Ｗ４よりも高い場所から水が流入した可能性があることによって、この水のある位置Ｗ４よりも標高の高い領域を差水侵入位置の候補として推定することができる。
【００９４】
図１４は、図１に示されるガス導管網差水位置の推定システム１を用いて水のある位置の推定結果に基づいて差水位置を推定する手順を説明するための一部のガス導管網３０を示す系統図であり、図１４（１）は水のある位置推定結果を示し、図１４（２）は「湿度なし（水なし）」推定結果を取込んで反映させた差水侵入位置推定結果を示す。図１５はガス導管網３０のガス導管網差水位置を水のある位置の推定結果に基づいて推定する手順を説明するためのフローチャートである。
【００９５】
ステップｅ１では、水のある位置推定において、「湿度なし（水なし）」と推定されたガス導管を、図１４（１）に示されるように取得する。
【００９６】
ステップｅ２では、上記ステップｅ１で取得したガス導管を「水なし（湿度なし）」として、図１４（２）に示されるように、差水侵入位置推定における導管図に上書きする。
【００９７】
以上のようにガス導管網差水位置の推定方法の本実施の形態によれば、予めガス導管網１９上で差水の影響を受ける差水影響領域が、ガスの湿度と、その湿度検出位置と、ガス流量とに基づいて推定される。これは、湿度が高い場所よりもガス供給方向の下流側では同様にガスの湿度が高いと考えられるためである。こうして予め推定される差水影響領域に対して、ガス導管が分岐しても、その分岐後の湿度は、上流側の湿度と比べて変化せず、また複数のガス導管が合流しても、その合流後の湿度は、合流前の上流側の各ガス導管の流量にほぼ比例して希釈されるため、各湿度検出位置の湿度の高さおよび流量の大きさ、合流後であるか、分岐後であるか、またはそれらの両者であるかを考慮し、各ガス導管内のガスの湿度から差水影響領域を、早期にかつ正確に推定することができる。
【００９８】
また、ガス導管網差水位置の推定方法の本実施の形態によれば、ガス導管網１９上において水のある位置を推定するにあたって、各湿度検出位置における湿度とガスの流れの向きとによって、湿度検出位置よりも下流側では湿度があって当然であること、分岐後の湿度の変化はないこと、合流後の湿度は合流前の上流側の各導管での湿度と流量により変化することを考慮することによって、水のある位置を早期にかつ正確に求めることができる。
【００９９】
さらに、ガス導管網差水位置の推定方法の本実施の形態によれば、ガス導管網１９上でガスの湿度とその湿度検出位置とガスの流れの向きとによって、水が存在する領域を推定した水存在推定領域もしくは実際の水存在領域に対してガス導管の高低差を考慮することよって、ガス導管のより高い位置から水が流れ込むという想定をもとに、差水侵入領域が推定される。このような高低差を考慮した差水侵入領域に対して、前記湿度、湿度検出位置およびガスの流れの向きから求めた水のない領域を照合することによって、前記差水侵入領域から水のない領域を除いた領域が、差水が侵入した位置としての可能性が最も高く、差水侵入位置として推定することができる。
【０１００】
さらに、ガス導管網差水位置の推定プログラムの本実施の形態によれば、ガス導管網差水位置の推定プログラムをコンピュータによって実行することによって、入力手段によって入力された、少なくともガスの湿度と、その湿度検出位置と、ガスの流量とに基づいて、処理手段は差水が影響する領域を求め、表示手段に画像で表示させ、差水の影響を受ける領域を、早期にかつ正確に推定することができる。
【０１０１】
さらに、ガス導管網差水位置の推定プログラムの本実施の形態によれば、ガス導管網差水位置の推定プログラムをコンピュータによって実行することによって、入力手段によって入力された、少なくともガスの湿度と、その湿度検出位置と、ガスの流れの向きとに基づいて、処理手段は水が存在する領域を求め、この水が存在する領域における分岐および合流のいずれか一方または双方によって変化した湿度推定値に基づいて、水が存在する領域を求め、それを表示手段に画像で表示させ、水が存在する位置を、早期にかつ正確に推定することができる。
【０１０２】
さらに、ガス導管網差水位置の推定プログラムの本実施の形態によれば、ガス導管網差水位置の推定プログラムをコンピュータによって実行することによって、入力手段によって入力された、少なくともガスの湿度と、その湿度検出位置と、ガスの流れの向きとに基づいて、処理手段は水が存在しない領域を求め、この水不在領域と差水侵入領域とを照合して、差水が侵入した位置を求め、それを表示手段に画像で表示させ、差水の侵入位置の候補を、早期にかつ正確に推定することができる。
【０１０３】
さらに、ガス導管網差水位置の推定プログラムの本実施の形態によれば、入力手段は、表示手段に入力画像または出力画像として表示されるガス導管網１９中の各ガス導管を指定し、指定したガス導管のガスの流れの有無を変更し、さらにガスの流れの向きを変更することができるので、ガス導管の閉鎖などのガス供給条件の変化に応じて、入力情報を修正して更新し、より新たな、または正確な入力情報を用いて差水位置を推定することができる。
【０１０４】
さらに、ガス導管網差水位置の推定プログラムが記録される記録媒体に本実施の形態によれば、前記ガス導管網差水位置の推定プログラムがコンピュータによって読取り可能な記録媒体に記録されることによって、広範囲のガス供給事業者、ガス工事業者および管理センタなどが前記記録媒体に記録されるプログラムを用いて、早期にかつ正確に差水位置を推定することができる。
【０１０５】
さらに、ガス導管網差水位置の推定システムの本実施の形態によれば、各地のガス供給事業者、ガス工事業者および管理センタなどの利用者からの差水情報の要求に対して、提供者から前記情報通信ネットワークを介してガス導管網差水位置の推定情報を通知することができるので、差水情報を場所および時間に拘わらず、迅速に提供することができ、緊急を要するガス導管の損傷などに起因する差水事故に、早期に対処することが可能となる。
【０１０６】
さらに、ガス導管網差水位置の推定システムの本実施の形態によれば、利用者のコンピュータから入力されたガス導管網情報、ガス流量情報および湿度情報に基づいて、提供者のコンピュータは、ガス導管網１９上で差水が発生したと考えられる差水影響領域は、ガスの湿度と、その湿度検出位置とガス流量とに基づいて推定される。
【０１０７】
こうして推定される差水影響領域に対して、ガス導管が分岐しても、その分岐後の湿度は、上流側の湿度と比べて変化せず、また複数のガス導管が合流しても、その合流後の湿度は、合流前の上流側の各ガス導管の流量にほぼ比例して希釈されるため、このようにして前記差水影響領域における各湿度検出位置の湿度の高さおよび流量の大きさ、合流後であるか、分岐後であるか、またはそれらの両者であるかを考慮して、差水影響領域における各ガス導管内のガスの湿度を、早期にかつ正確に推定することができる。
【０１０８】
これによって差水情報を場所および時間に拘わらず、利用者が提供した上記の各情報に対して迅速に差水情報を提供することができ、利用者側で発生した緊急を要するガス導管の損傷などに起因する差水事故に、早期に対処することが可能となる。
【０１０９】
さらに、ガス導管網差水位置の推定システムの本実施の形態によれば、利用者のコンピュータから入力されたガス導管網情報、ガス流量情報およびガスの流れの向き情報に基づいて、提供者のコンピュータは、ガス導管網１９上において水のある位置を推定するにあたって、各湿度検出位置における湿度とガスの流れの向きとによって、湿度検出位置よりも下流側では湿度があって当然であること、分岐後の湿度の変化はないこと、合流後の湿度は合流前の上流側の各導管での湿度と流量により変化することを考慮することによって、水のある位置を早期にかつ正確に求めることができる。
【０１１０】
これによって差水情報を場所および時間に拘わらず、利用者が提供した上記の各情報に対して迅速に差水情報を提供することができ、利用者側で発生した緊急を要するガス導管の損傷などに起因する差水事故に、早期に対処することが可能となる。
【０１１１】
さらに、ガス導管網差水位置の推定システムの本実施の形態によれば、利用者のコンピュータから入力されたガス導管網情報、ガス流量情報およびガスの流れの向き情報に基づいて、提供者のコンピュータは、ガス導管網１９上でガスの湿度とその湿度検出位置とガスの流れの向きとによって、水が存在する領域を推定した水存在推定領域もしくは実際の水存在領域に対してガス導管の高低差を考慮することよって、ガス導管のより高い位置から水が流れ込むという想定をもとに、差水侵入領域が推定される。このような高低差を考慮した差水侵入領域に対して、前記湿度、湿度検出位置およびガスの流れの向きから求めた水のない領域を照合することによって、前記差水侵入領域から水のない領域を除いた領域が、差水が侵入した位置としての可能性が最も高く、差水侵入位置として推定することができる。
【０１１２】
これによって差水情報を場所および時間に拘わらず、利用者が提供した上記の各情報に対して迅速に差水情報を提供することができ、利用者側で発生した緊急を要するガス導管の損傷などに起因する差水事故に、早期に対処することが可能となる。
【０１１３】
さらに、ガス導管網差水位置の推定システムの本実施の形態によれば、利用者のコンピュータから入力されたガス導管網情報、ガス流量情報、湿度情報およびガスの流れの向き情報などを含む入力情報は、提供者のコンピュータに接続される記憶装置に顧客情報としてデータベース化して、書き込み／読み出し可能に記憶されるので、利用者側から入力しなければならない入力情報の情報量を低減することができ、利用者にとって、より容易にかつ簡便に差水情報を提供者から入手することができる。また、上記のように利用者のコンピュータから入力されたガス導管網情報、ガス流量情報および湿度情報が提供者側の記憶装置に記憶されるので、利用者は多くのデータを記憶しておくための記憶装置または記憶領域を確保する必要がなくなるとともに、前記データの管理業務も削減され、利用者の情報管理に要する負担を軽減することができる。
【０１１４】
【発明の効果】
請求項１記載の本発明のガス導管網差水位置の推定方法によれば、差水影響領域における各湿度検出位置の湿度の高さおよび流量の大きさ、合流後であるか、分岐後であるか、またはそれらの両者であるかを考慮して、差水の影響を受ける領域と、各ガス導管内のガスの湿度を、早期にかつ正確に推定することができる。
【０１１５】
請求項２記載の本発明のガス導管網差水位置の推定方法によれば、ガス導管網上において差水が発生した位置を推定するにあたって、各湿度検出位置における湿度とガスの流れの向きとによって、合流によって湿度が変化する場合であっても、滞留水などの水のある位置を早期にかつ正確に求めることができる。
【０１１６】
請求項３記載の本発明のガス導管網差水位置の推定方法によれば、ガス導管網上でガスの湿度とその湿度検出位置とガスの流れの向きとによって、水が存在する領域を推定した水存在推定領域もしくは実際の水存在領域に対してガス導管の高低差を考慮することよって、差水侵入領域が推定される。このような高低差を考慮した差水侵入領域に対して、前記湿度、湿度検出位置およびガスの流れの向きから求めた水のない領域を照合することによって、前記差水侵入領域から水のない領域を除いた領域が、差水が侵入した位置としての可能性が最も高く、差水侵入位置として推定することができる。
【０１１７】
請求項４記載の本発明のガス導管網差水位置の推定プログラムによれば、ガス導管網差水位置の推定プログラムをコンピュータによって実行することによって、入力手段によって入力された、少なくともガスの湿度と、その湿度検出位置と、ガスの流量とに基づいて、処理手段は差水が影響する領域を求め、表示手段に画像で表示させ、差水の影響を受ける領域を、早期にかつ正確に推定することができる。
【０１１８】
請求項５記載の本発明のガス導管網差水位置の推定プログラムによれば、ガス導管網差水位置の推定プログラムをコンピュータによって実行することによって、入力手段によって入力された、少なくともガスの湿度と、その湿度検出位置と、ガスの流れの向きとに基づいて、処理手段は水が存在する領域を求め、この水が存在する領域における分岐および合流のいずれか一方または双方によって変化した湿度推定値に基づいて、水が存在する領域を求め、それを表示手段に画像で表示させ、滞留水など水が存在する位置を、早期にかつ正確に推定することができる。
【０１１９】
請求項６記載の本発明のガス導管網差水位置の推定プログラムによれば、ガス導管網差水位置の推定プログラムをコンピュータによって実行することによって、入力手段によって入力された、少なくともガスの湿度と、その湿度検出位置と、ガスの流れの向きとに基づいて、処理手段は水が存在しない領域を求め、この水不在領域と差水侵入領域とを照合して、差水が侵入した位置を求め、それを表示手段に画像で表示させ、差水の侵入位置の候補を、早期にかつ正確に推定することができる。
【０１２０】
請求項７記載の本発明のガス導管網差水位置の推定プログラムによれば、入力手段は、表示手段に入力画像または出力画像として表示されるガス導管網中の各ガス導管を指定し、指定したガス導管のガスの流れの有無を変更し、さらにガスの流れの向きを変更することができるので、ガス導管の閉鎖などのガス供給条件の変化に応じて、入力情報を修正して更新し、より新たな、または正確な入力情報を用いて差水位置を推定することができる。
【０１２１】
請求項８記載の本発明の記録媒体によれば、前記ガス導管網差水位置の推定プログラムがコンピュータによって読取り可能な記録媒体に記録されることによって、広範囲のガス供給事業者、ガス工事業者および管理センタなどが前記記録媒体に記録されるプログラムを用いて、早期にかつ正確に差水位置を推定することができる。
【０１２２】
請求項９記載の本発明のガス導管網差水位置の推定システムによれば、各地のガス供給事業者、ガス工事業者および管理センタなどの利用者からの差水情報の要求に対して、提供者から前記情報通信ネットワークを介してガス導管網差水位置の推定情報を通知することができるので、差水情報を場所および時間に拘わらず、迅速に提供することができ、緊急を要するガス導管の損傷などに起因する差水事故に、早期に対処することが可能となる。
【０１２３】
また利用者のコンピュータから入力されたガス導管網情報、ガス流量情報および湿度情報に基づいて、提供者のコンピュータは、ガス導管網上で差水の影響を受ける領域である差水影響領域を、ガスの湿度と、その湿度検出位置と、ガス流量とに基づいて推定することができる。
【０１２４】
こうして推定される差水影響領域に対して、ガス導管が分岐しても、その分岐後の湿度は、上流側の湿度と比べて変化せず、また複数のガス導管が合流しても、その合流後の湿度は、合流前の上流側の各ガス導管の流量にほぼ比例して希釈されるため、このようにして前記差水影響領域における各湿度検出位置の湿度の高さおよび流量の大きさ、合流後であるか、分岐後であるか、またはそれらの両者であるかを考慮して、差水の影響を受ける領域と、各ガス導管内のガスの湿度を、早期にかつ正確に推定することができる。
【０１２５】
これによって差水情報を場所および時間に拘わらず、利用者が提供した上記の各情報に対して迅速に差水情報を提供することができ、利用者側で発生した緊急を要するガス導管の損傷などに起因する差水事故に、早期に対処することが可能となる。
【０１２６】
請求項１０記載の本発明のガス導管網差水位置の推定システムによれば、各地のガス供給事業者、ガス工事業者および管理センタなどの利用者からの差水情報の要求に対して、提供者から前記情報通信ネットワークを介してガス導管網差水位置の推定情報を通知することができるので、差水情報を場所および時間に拘わらず、迅速に提供することができ、緊急を要するガス導管の損傷などに起因する差水事故に、早期に対処することが可能となる。また利用者のコンピュータから入力されたガス導管網情報、ガス流量情報およびガスの流れの向き情報に基づいて、提供者のコンピュータは、ガス導管網上において水のある位置を推定するにあたって、各湿度検出位置における湿度とガスの流れの向きとによって、湿度検出位置よりも下流側では湿度があって当然であること、分岐後の湿度の変化はないこと、合流後の湿度は合流前の各導管での湿度と流量により変化することを考慮することによって、水のある位置を早期にかつ正確に求めることができる。
【０１２７】
これによって差水情報を場所および時間に拘わらず、利用者が提供した上記の各情報に対して迅速に差水情報を提供することができ、利用者側で発生した緊急を要するガス導管の損傷などに起因する差水事故に、早期に対処することが可能となる。
【０１２８】
請求項１１記載の本発明のガス導管網差水位置の推定システムによれば、各地のガス供給事業者、ガス工事業者および管理センタなどの利用者からの差水情報の要求に対して、提供者から前記情報通信ネットワークを介してガス導管網差水位置の推定情報を通知することができるので、差水情報を場所および時間に拘わらず、迅速に提供することができ、緊急を要するガス導管の損傷などに起因する差水事故に、早期に対処することが可能となる。また利用者のコンピュータから入力されたガス導管網情報、ガス流量情報およびガスの流れの向き情報に基づいて、提供者のコンピュータは、ガス導管網上でガスの湿度とその湿度検出位置とガスの流れの向きとによって、水が存在する領域を推定した水存在推定領域もしくは実際の水存在領域に対してガス導管の高低差を考慮することよって、ガス導管のより高い位置から水が流れ込むという想定をもとに、差水侵入領域が推定される。このような高低差を考慮した差水侵入領域に対して、前記湿度、湿度検出位置およびガスの流れの向きから求めた水のない領域を照合することによって、前記差水侵入領域から水のない領域を除いた領域が、差水が侵入した位置としての可能性が最も高く、差水侵入位置として推定することができる。
【０１２９】
これによって差水情報を場所および時間に拘わらず、利用者が提供した上記の各情報に対して迅速に差水情報を提供することができ、利用者側で発生した緊急を要するガス導管の損傷などに起因する差水事故に、早期に対処することが可能となる。
【０１３０】
請求項１２記載の本発明のガス導管網差水位置の推定システムによれば、利用者のコンピュータから入力されたガス導管網情報、ガス流量情報、湿度情報およびガスの流れの向き情報などを含む入力情報は、提供者のコンピュータに接続される記憶装置に顧客情報としてデータベース化して、書き込み／読み出し可能に記憶されるので、利用者側から入力しなければならない入力情報の情報量を低減することができ、利用者にとって、より容易にかつ簡便に差水情報を提供者から入手することができる。また、上記のように利用者のコンピュータから入力されたガス導管網情報、ガス流量情報および湿度情報が提供者側の記憶装置に記憶されるので、利用者は多くのデータを記憶しておくための記憶装置または記憶領域を確保する必要がなくなるとともに、前記データの管理業務も削減され、利用者の情報管理に要する負担を軽減することができる。
【図面の簡単な説明】
【図１】本発明の実施の一形態のガス導管網差水位置の推定システム１を模式的に示す図である。
【図２】サーバコンピュータＣ１の概略的構成を示すブロック図である。
【図３】サーバコンピュータＣ１の画像表示手段５に表示される導管図シミュレーション画面１１を示す図である。
【図４】図１に示されるガス導管網差水位置の推定システム１を用いて湿度の拡がりに基づいて差水影響領域を推定する手順を説明するための一部のガス導管網３０を示す系統図である。
【図５】ガス導管網３０のガス導管網差水影響領域を湿度の拡がりに基づいて推定する手順を説明するためのフローチャートである。
【図６】導管図シミュレーション画面１１においてシミュレーション選択ボックス１２の「湿度の拡がり  影響範囲を指定」欄を選択したときの表示画面を示す図である。
【図７】図１に示されるガス導管網差水位置の推定システム１を用いて水のある位置を推定する手順を説明するための一部のガス導管網３０を示す系統図である。
【図８】ガス導管網３０の水ある位置をガスの流れの向きと湿度Ｈとに基づいて推定する手順を説明するためのフローチャートである。
【図９】図１に示されるガス導管網差水位置の推定システム１を用いて合流点から下流側の合流後の湿度推定値に基づいて未判定領域を推定する手順を説明するための一部のガス導管網３０を示す系統図である。
【図１０】ガス導管網差水位置の推定システム１を用いて合流点から上流側の合流前の湿度推定値に基づいて未判定領域を推定する手順を説明するための一部のガス導管網３０を示す系統図である。
【図１１】ガス導管網３０の合流点よりも下流側および上流側の湿度推定値に基づいて未判定領域を推定する手順を説明するためのフローチャートである。
【図１２】図１に示されるガス導管網差水位置の推定システム１を用いてガス導管の傾斜に基づいて差水侵入位置を推定する手順を説明するための一部のガス導管網３０を示す系統図である。
【図１３】ガス導管網３０のガス導管網差水侵入位置をガス導管の傾斜に基づいて推定する手順を説明するためのフローチャートである。
【図１４】図１に示されるガス導管網差水位置の推定システム１を用いて水のある位置の推定結果に基づいて差水侵入位置を推定する手順を説明するための一部のガス導管網３０を示す系統図であり、図１４（１）は水のある位置推定結果を示し、図１４（２）は「湿度なし（水なし）」推定結果を取込んで反映させた差水侵入位置推定結果を示す。
【図１５】ガス導管網３０のガス導管網差水侵入位置を水のある位置の推定結果に基づいて推定する手順を説明するためのフローチャートである。
【符号の説明】
１  ガス導管網差水位置の推定システム
２  公衆回線通信網
３  処理手段
４  入力手段
５  画像表示手段
６  印字手段
７  記憶手段
８  通信手段
９  差水位置推定プログラム
１１  導管図シミュレーション画面
１２  シミュレーション選択ボックス
１３  ガス導管情報入力部
１４  メッシュ番号表示部
１５  ユーザ設定情報チェック欄
１６  マウス
１７  ユーザ設定情報選択ボックス
１８ａ  反転表示部
１８ｂ  色設定表示部
１８ｃ  不使用表示部
１９  ガス導管網
２０  導管網表示部
２１ａ  拡大タグ
２１ｂ  縮小タグ
２１ｃ  全面表示タグ
２１ｄ  流量表示タグ
２３  上下スクロールバー
２４  左右スクロールバー
Ｃ１  サーバコンピュータ
Ｃ２  クライアントコンピュータ
【図１】
0003735290.tif 000002
【図２】
0003735290.tif 000003
【図３】
0003735290.tif 000004
【図４】
0003735290.tif 000005
【図５】
0003735290.tif 000006
【図６】
0003735290.tif 000007
【図７】
0003735290.tif 000008
【図８】
0003735290.tif 000009
【図９】
0003735290.tif 000010
【図１０】
0003735290.tif 000011
【図１１】
0003735290.tif 000012
【図１２】
0003735290.tif 000013
【図１３】
0003735290.tif 000014
【図１４】
0003735290.tif 000015
【図１５】
0003735290.tif 000016